(57)【要約】【課題】飲料容器に添付する低コストな飲料容器添付用コースタを提供する。【解決手段】飲料容器添付用コースタ１０は、瓶１の首１ａに挿通される貫通孔２１ａを有する装着部２０と、装着部２０に、ミシン目４０を介して連設されたコースタ部３０とを備え、コースタ部３０は、装着部２０に入り込んだ入り込み部３２を有する。【選択図】図１
2014162524.tif 000002
【特許請求の範囲】
【請求項１】
飲料容器の首に挿通される孔を有する装着部と、
前記装着部に、切り取り線を介して連設されたコースタ部とを備え、
前記コースタ部は、前記装着部に入り込んだ入り込み部を有すること、
を特徴とする飲料容器添付用コースタ。
【請求項２】
請求項１に記載の飲料容器添付用コースタにおいて、
前記切り取り線は、ミシン目であり、
前記切り取り線の両端部は、アンカット部であること、
を特徴とする飲料容器添付用コースタ。
【請求項３】
請求項２に記載の飲料容器添付用コースタにおいて、
前記切り取り線の両端部のアンカット部は、他のアンカット部よりも長いこと、
を特徴とする飲料容器添付用コースタ。
【請求項４】
請求項２又は請求項３に記載の飲料容器添付用コースタにおいて、
前記装着部の前記切り取り線よりも外側の部分を、前記切り取り線に向けて切り欠いた切り欠きを備えること、
を特徴とする飲料容器添付用コースタ。
【請求項５】
請求項２から請求項４のいずれかに記載の飲料容器添付用コースタにおいて、
前記切り取り線は、前記入り込み部の最も前記装着部に入り込んだ部分が、アンカット部であること、
を特徴とする飲料容器添付用コースタ。
【請求項６】
請求項１から請求項５のいずれかに記載の飲料容器添付用コースタにおいて、
前記装着部の前記コースタ部とは反対側に設けられ、前記装着部に谷折りに折り込み可能な折り込み線を介して連設された表示部を備えること、
を特徴とする飲料容器添付用コースタ。
【発明の詳細な説明】
【技術分野】
【０００１】
本発明は、飲料容器に添付する飲料容器添付用コースタに関するものである。
【背景技術】
【０００２】
従来、瓶等の首に取り付けて、景品等を添付する添付用の袋があった（例えば特許文献１）。
しかし、従来の添付用の袋は、景品を挿入するための袋が必要であり、かつ、景品等を袋に挿入するための工数がかかり、高コストであった。
【先行技術文献】
【特許文献】
【０００３】
【特許文献１】特許第２０９０７８７号公報
【発明の概要】
【発明が解決しようとする課題】
【０００４】
本発明の課題は、飲料容器に添付する低コストな飲料容器添付用コースタを提供することである。
【課題を解決するための手段】
【０００５】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
・第１の発明は、飲料容器（１）の首に挿通される孔（２１ａ）を有する装着部（２０，２２０，３２０，４２０）と、前記装着部に、切り取り線（４０，４４０）を介して連設されたコースタ部（３０，３３０，４３０）とを備え、前記コースタ部は、前記装着部（２０，２２０，３２０，４２０）に入り込んだ入り込み部（３２，４３２）を有すること、を特徴とする飲料容器添付用コースタである。
・第２の発明は、第１の発明の飲料容器添付用コースタにおいて、前記切り取り線（４０，４４０）は、ミシン目であり、前記切り取り線の両端部は、アンカット部（４１，４７，４４１，４４７）であること、を特徴とする飲料容器添付用コースタである。
・第３の発明は、第２の発明の飲料容器添付用コースタにおいて、前記切り取り線の両端部のアンカット部（４１，４７，４４１，４４７）は、他のアンカット部（４２〜４６，４４２〜４４６）よりも長いこと、を特徴とする飲料容器添付用コースタである。
・第４の発明は、第２又は第３の発明の飲料容器添付用コースタにおいて、前記装着部（２０，２２０，３２０，４２０）の前記切り取り線（４０，４４０）よりも外側の部分を、前記切り取り線に向けて切り欠いた切り欠き（５０，４５０）を備えること、を特徴とする飲料容器添付用コースタである。
・第５の発明は、第２から第４のいずれかの発明の飲料容器添付用コースタにおいて、前記切り取り線（４０，４４０）は、前記入り込み部（３２，４３２）の最も前記装着部に入り込んだ部分（２０，２２０，３２０，４２０）が、アンカット部（４４，４４４）であること、を特徴とする飲料容器添付用コースタである。
・第６の発明は、第１から第５のいずれかの発明の飲料容器添付用コースタにおいて、前記装着部（２２０）の前記コースタ部（３０）とは反対側に設けられ、前記装着部に谷折りに折り込み可能な折り込み線（２２４）を介して連設された表示部（２６０）を備えること、を特徴とする飲料容器添付用コースタである。
【発明の効果】
【０００７】
本発明によれば、飲料容器に添付する低コストな飲料容器添付用コースタを提供できる。
【図面の簡単な説明】
【０００８】
【図１】第１実施形態の瓶１と、飲料容器添付用コースタ１０の斜視図である。
【図２】第１実施形態の飲料容器添付用コースタ１０の平面図である。
【図３】第１実施形態の飲料容器添付用コースタ１０の分離後の平面図である。
【図４】第１実施形態の飲料容器添付用コースタ１０を瓶１に装着した状態を説明する断面図である。
【図５】第１実施形態のコースタ部３０を分離する作業を説明する図である。
【図６】比較例のコースタ部１３０を分離する作業を説明する図、分離後のコースタ部１３０を示す図である。
【図７】第２実施形態の瓶１と、飲料容器添付用コースタ２１０の斜視図である。
【図８】第３実施形態の瓶１に飲料容器添付用コースタ３１０に装着して、ケース２に収容した状態の上面図である。
【図９】第４実施形態の飲料容器添付用コースタ４１０の平面図である。
【発明を実施するための形態】
【０００９】
（第１実施形態）
以下、図面等を参照して、本発明の第１実施形態について説明する。
図１は、第１実施形態の瓶１と、飲料容器添付用コースタ１０の斜視図である。
なお、図面には、飲料容器添付用コースタ１０の方向を明確に説明するために、座標系を示した。方向Ｘは、装着部２０、コースタ部３０の接続方向であり、方向Ｙは、コースタ部３０の面方向のうち、方向Ｘに直交する方向である。
【００１０】
飲料容器添付用コースタ１０は、商品である飲料の瓶１（飲料容器）に装着されて、例えば、販売店の商品の販売促進等として利用されたりする。飲料容器添付用コースタ１０の表面には、広告等が印刷されている。なお、広告等は、必要に応じて、飲料容器添付用コースタ１０の裏面にも設けてもよい。
飲料容器添付用コースタ１０は、後述するように、分離して、瓶１やコップ等のコースタとして利用できる。
【００１１】
図２は、第１実施形態の飲料容器添付用コースタ１０の平面図である。
図３は、第１実施形態の飲料容器添付用コースタ１０の分離後の平面図である。
飲料容器添付用コースタ１０は、コースタとして利用できるように、適度の吸水性を有する紙材や水を浸透させない樹脂シート等のシート材により形成される。飲料容器添付用コースタ１０は、これらのシート材の打ち抜き加工により、一体的な形態に形成される。これにより、飲料容器添付用コースタ１０は、部品コストを低減でき、かつ、コースタを袋等に挿入する工程が不要であるので、低コストである。
飲料容器添付用コースタ１０は、装着部２０、コースタ部３０、ミシン目４０（切り取り線）、切り欠き５０を備える。
【００１２】
装着部２０は、飲料容器の首１ａに装着される部分である。
装着部２０は、リング部２１、中継部２２を備える。
リング部２１は、リング状（円環状）に形成された部分である。
リング部２１は、貫通孔２１ａを備える。
貫通孔２１ａは、瓶１の首１ａよりも大きく、胴１ｂの部分よりも細い。また、貫通孔２１ａは、方向Ｙに長い楕円形状である。
これにより、飲料容器添付用コースタ１０は、リング部２１の貫通孔２１ａを瓶１の首１ａに挿入し、胴１ｂの上部で止まり、方向Ｙに傾いた状態になる（図４参照）。
【００１３】
中継部２２は、リング部２１及びコースタ部３０間を中継する部分である。中継部２２は、リング部２１に折り込み線２３を介して連設されている。
折り込み線２３は、飲料容器添付用コースタ１０が瓶１に装着された状態では、山折りにされる罫線である（図１参照）。
【００１４】
図２、図３に示すように、コースタ部３０は、装着部２０から分離して、コースタとして実際に利用される部分である。コースタ部３０は、装着部２０の中継部２２に、ミシン目４０を介して連設されている。
コースタ部３０は、円形である。コースタ部３０を瓶１のコースタとして利用する場合には、コースタ部３０の直径は、瓶１の底部よりも大きい（例えば、６０〜９０ｍｍ程度）。
コースタ部３０が円形であるので、コースタ部３０の一部の円弧とその弦３１で囲まれた領域は、装着部２０に入り込むような入り込み部３２になっている。
【００１５】
ミシン目４０は、コースタ部３０の入り込み部３２の円弧部分に設けられている。
このため、コースタ部３０は、ミシン目４０によって、入り込み部３２の円弧部分を、周囲から保持されるような形態になる。
ミシン目４０の両端部はアンカット部４１，４７であり、頂点（入り込み部３２の最も装着部２０に入り込んだ部分）はアンカット部４４である。
両端部のアンカット部４１，４７は、他のアンカット部４２〜４６よりも長い。
例えば、ミシン目４０のピッチが１０ｍｍである場合には、両端部のアンカット部４１，４７の長さは、１ｍｍ程度であり、一方、他のアンカット部４２〜４６の長さは、０．３〜０．５ｍｍ程度である。
【００１６】
切り欠き５０は、装着部２０の下側両端に設けられている。つまり、切り欠き５０は、コースタ部３０の外形と、装着部２０の中継部２２の外形との交点部分に設けられている。
切り欠き５０は、この交点部分を、ミシン目４０に向けて切り欠くように設けられている。
【００１７】
（装着時の形態）
飲料容器添付用コースタ１０を瓶１に装着した状態について説明する。
図４は、第１実施形態の飲料容器添付用コースタ１０を瓶１に装着した状態を説明する断面図である。
なお、二点鎖線内は、ミシン目４０の部分での折れ曲がり状態を、拡大して説明する模式図である。
飲料容器添付用コースタ１０は、店舗での商品取扱い時や、店舗来客者等が商品を確認するとき等に、コースタ部３０に手が触れたりして力が加わり、撓む場合がある（矢印Ｆ参照）。
飲料容器添付用コースタ１０は、ミシン目４０の部分での強度が弱いので、このような場合には、破線で示すように、ミシン目４０の部分から大きく撓む。
前述したように、ミシン目４０の両端部はアンカット部４１，４７であり、頂点はアンカット部４４である。このため、コースタ部３０及び中継部２２は、断面において、ミシン目４０の部分では、方向Ｙにおける両端部（一端がアンカット部４１，４７、他端がアンカット部４４）が保持されるような形態になるので、剛性を向上し、撓みを軽減できる。
【００１８】
また、二点鎖線内に示すように、断面において、アンカット部４１，４７からその内側のアンカット部４２，４６までの長さＬ１は、他のアンカット部間の長さＬ２，Ｌ３よりも長くなる（図２参照）。このため、長さＬ１の領域では、断面における腕の長さが、長さＬ２，Ｌ３の領域よりも長くなり、アンカット部４１，４７には、より大きな力が加わる。
前述したように、アンカット部４１，４７は、他のアンカット部４２〜４６よりも長い。このため、コースタ部３０及び中継部２２は、アンカット部４１，４７での接続強度を向上でき、大きな力が加わっても、撓みを軽減できるとともに、破断を抑制できる。
【００１９】
このように、飲料容器添付用コースタ１０は、剛性を向上でき、瓶１への装着時の撓みを軽減でき、また、コースタ部３０及び中継部２２間の不用意な分離を抑制できる。
【００２０】
（コースタ部３０の分離作業）
装着部２０の中継部２２とコースタ部３０とを、ミシン目４０で分離する作業について説明する。
図５は、第１実施形態のコースタ部３０を分離する作業を説明する図である。
図６は、比較例のコースタ部１３０を分離する作業を説明する図、分離後のコースタ部１３０を示す図である。
図５に示すように、利用者は、例えば、一方の手でコースタ部３０を持ち、他方の手で中継部２２を持つ等して、コースタ部３０をめくり上げる等して（矢印Ａ参照）、装着部２０の中継部２２とコースタ部３０とを、ミシン目４０で分離する。
この場合、切り欠き５０を有するので、切り欠き５０の奥に配置されている端部のアンカット部４１に応力が集中する。このため、アンカット部４１は、カット部に向けて容易に亀裂が入りやすくなる。これにより、端部のミシン目４１（又はミシン４７）は、分離される場合の作業性がよく、また、毛羽立ちやめくれ等を抑制できる。
【００２１】
アンカット部４１が破断した後には、アンカット部４２〜４７が順次破断される。アンカット部４２〜４６は、長さが短い。このため、アンカット部４２〜４６の破断部は、外周に沿った長さが短く、また、突出量も小さい。そのため、他のアンカット部４２〜４６も、容易に分離でき、作業性がよい。
図３に示すように、また、分離後のコースタ部３０は、外周の凹凸を小さくできる。なお、図３は、破断後のアンカット部４１〜４７の突出部を、分かりやすく説明するために、実際よりも大きく図示している。また、破断後のアンカット部４１〜４７は、突出した例を示すが、場合によっては、凹むこともある。この場合でも、凹み量を小さくできる。
【００２２】
このように、飲料容器添付用コースタ１０は、コースタ部３０を分離する場合の作業性がよく、また、分離後の外観を向上できる。
【００２３】
図６（Ａ）に示すように、比較例の飲料容器添付用コースタ１１０は、コースタ部１３０と装着部１２０との交点部分に、切り欠きが設けられていない。また、アンカット部１４２〜１４６の長さが、飲料容器添付用コースタ１０のアンカット部４２〜４６よりも長い。
このため、コースタ部１３０を分離する場合に、応力がアンカット部１４１，１４７に集中する作用が、実施形態の飲料容器添付用コースタ１０よりも低下する。これにより、アンカット部１４１，１４７は、破断した場合に、毛羽立ち、めくれ等が発生しやすい。また、亀裂が内側に向けて入ってしまう場合には、ミシン目４０がうまく分離できなかったり、図６（Ｂ）に示すように、端部のミシン目４０部分に、大きな凹部ができてしまう。
また、アンカット部１４２〜１４６の長さが長いので、コースタ部１３０の分離後に、外周の凹凸が大きくなってしまう。
このように、比較例の飲料容器添付用コースタ１１０は、飲料容器添付用コースタ１０よりも作業性が悪く、また、分離後のコースタ部１３０の外観も悪い。
【００２４】
以上説明したように、飲料容器添付用コースタ１０は、低コストである。また、コースタ部３０を分離前には、剛性を向上でき、コースタ部３０を分離する際には、作業性がよく、さらに、分離後のコースタ部３０の外観を向上できる。
なお、飲料容器添付用コースタ１０の上記作用、効果は、実際に、試作を作製して、確認済みである。
【００２５】
（第２実施形態）
次に、本発明の第２実施形態について説明する。
なお、以下の説明及び図面において、前述した第１実施形態と同様の機能を果たす部分には、同一の符号又は末尾（下２桁）に同一の符号を付して、重複する説明を適宜省略する。
図７は、第２実施形態の瓶１と、飲料容器添付用コースタ２１０の斜視図である。
飲料容器添付用コースタ２１０は、表示部２６０を備える。
表示部２６０は、装着部２２０のリング部２２１に連設されており、コースタ部３０とは反対側に配置されている。
表示部２６０は、折り込み線２２４を介して装着部２２０に連設されている。
表示部２６０の表面には、広告等が設けられている。
【００２６】
折り込み線２２４は、飲料容器添付用コースタ２１０が瓶１に装着された状態において、谷折りにされる罫線である。このため、商品を正面から見ると、コースタ部３０の表示面に加えて、表示部２６０の表示面が目立つがように視認できる。これにより、飲料容器添付用コースタ２１０は、表示面積を第１実施形態よりも大きくでき、販売促進等の効果を向上できる。
【００２７】
（第３実施形態）
次に、本発明の第３実施形態について説明する。
第３実施形態では、瓶１に飲料容器添付用コースタ３１０に装着して、ケース２に収容する形態を説明する。
図８は、第３実施形態の瓶１に飲料容器添付用コースタ３１０に装着して、ケース２に収容した状態の上面図である。
複数の瓶１は、飲料容器添付用コースタ３１０を装着された状態で、ケース２に収容される。ケース２は、仕切り２ａによって複数の区画が設けられており、瓶１を各区画内に収容する。
このため、飲料容器添付用コースタ３１０は、瓶１の胴１ｂの外周面に沿って湾曲されて、ケース２に収容される。
【００２８】
そのため、瓶１をケース２から取り出せば、コースタ部３３０の直径は、胴１ｂの直径よりも長くなる。これにより、分離されたコースタ部３３０は、胴１ｂの直径よりも大きく、瓶１のコースタとして利用できる。
このように、飲料容器添付用コースタ３１０は、瓶１に装着されてケース２に収容される形態であっても、瓶１のコースタとして利用できる。
【００２９】
（第４実施形態）
次に、本発明の第４実施形態について説明する。
図９は、第４実施形態の飲料容器添付用コースタ４１０の平面図である。
飲料容器添付用コースタ４１０のコースタ部４３０の外形は、ほぼ正方形である。
コースタ部４３０は、コーナ部４４８が、最も中継部４２２側に入り込むように、中継部４２２に連設されている。
ミシン目４４０のアンカット部４４１〜４４７の設定等は、第１実施形態と同様である。
このため、コースタ部４３０は、三角形の領域である入り込み部４３２が、第１実施形態と同様に、装着部３２０に入り込む形態で、中継部４２２に保持されている。
【００３０】
以上の形態によっても、飲料容器添付用コースタ４１０は、第１実施形態と同様に、低コストであり、分離前の剛性を向上でき、コースタ部４３０を作業性よく分離でき、分離後のコースタ部４３０の外観を向上できる。
【００３１】
以上、本発明の実施形態について説明したが、本発明は前述した実施形態に限定されるものではなく、後述する変形形態のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００３２】
（変形形態）
本実施形態において、飲料容器添付用コースタは、瓶に装着される例を示したが、これに限定されない。例えば、飲料容器添付用コースタは、缶（缶ビール、缶ジュース等）に装着してもよい。
【符号の説明】
【００３３】
１…瓶
１０，２１０，３１０，４１０…飲料容器添付用コースタ
２０，２２０，３２０，４２０…装着部
２１ａ，４２１ａ…貫通孔
３０，３３０，４３０…コースタ部
３２，４３２…入り込み部
４０，４４０…ミシン目
４１〜４７，４４１〜４４７…アンカット部
５０，４５０…切り欠き
２２４…折り込み線
２６０…表示部
【図１】
2014162524.tif 000003
【図２】
2014162524.tif 000004
【図３】
2014162524.tif 000005
【図４】
2014162524.tif 000006
【図５】
2014162524.tif 000007
【図６】
2014162524.tif 000008
【図７】
2014162524.tif 000009
【図８】
2014162524.tif 000010
【図９】
2014162524.tif 000011